(57)【要約】  本発明は、上部にあり閉鎖手段（８）を設けた開口（７）を有するコンパートメント（３）を規定するケース（２）と、前記開口（７）に近い前記コンパートメント（３）の内部に配置された照明デバイス（９）と、前記照明デバイス（９）に供給するバッテリー（１０）と、前記コンパートメントの前記閉鎖手段（８）に操作可能に接続されたスイッチ（１１）と、外部充電デバイスに接続されるように構成された接続デバイス（１４）と、少なくとも前記照明デバイス（９）と前記接続手段（１４）を制御するよう構成された制御ユニット（２０）と、を備えたハンドバッグであり、少なくとも前記バッテリー（１０）、前記接続手段（１４）及び前記制御ユニット（２０）がハンドバッグの底（４）に配置されている。【選択図】図１
2015509806.tif 000002
【特許請求の範囲】
【請求項１】
閉鎖手段（８）を設けた開口（７）を伴うコンパートメント（３）を規定するケース（２）と、
前記開口（７）に近い前記コンパートメント（３）の内部に配置された照明デバイス（９）と、
前記照明デバイス（９）に供給するバッテリー（１０）と、
前記コンパートメントの前記閉鎖手段（８）に操作可能に接続されたスイッチ（１１）と、
外部充電デバイスに接続されるように構成された接続デバイス（１４）と、
少なくとも前記照明デバイス（９）と前記接続手段（１４）を制御するよう構成された制御ユニット（２０）と、を備えたハンドバッグであって、
少なくとも前記バッテリー（１０）、前記接続手段（１４）及び前記制御ユニット（２０）がハンドバッグの底（４）に配置されたハンドバッグ。
【請求項２】
前記スイッチ（１１）は少なくとも１つのマグネット（１２）及び１つのリードコンタクト（１３）を備え、前記マグネット（１２）は前記閉鎖手段（８）の移動位置上に配置され、そして前記リードコンタクト（１３）がケースに配置された請求項１に記載のハンドバッグ。
【請求項３】
前記バッテリー（１０）と前記照明デバイス（９）との間に配置され、前記リードコンタクト（１３）の開閉状態を検知することができるスイッチ制御回路（１８）が設けられた請求項２に記載のハンドバッグ。
【請求項４】
前記接続デバイス（１４）は、充電デバイス（１５）により放射された磁界に作用することができる少なくとも１つのコイル（１６）を備えた請求項１から３のいずれか一項に記載のハンドバッグ。
【請求項５】
前記接続デバイス（１４）は、前記バッテリー（１０）の電圧及び電流の値に対応する電圧及び電流の値を有する電気信号を発生することができる前記コイル（１６）に接続されたトランスフォーマ回路（１７）を備えた請求項４に記載のハンドバッグ。
【請求項６】
前記制御ユニット（２０）は、前記トランスフォーマ回路（１７）、前記スイッチ制御回路（１８）、充電及び供給制御回路（１９）を備えた請求項５に記載のハンドバッグ。
【請求項７】
前記バッテリー（１０）、前記制御ユニット（２０）及び前記コイル（１６）は、単一の組立て済みボディ（２１）の中に設けられた請求項１から６のいずれか一項に記載のハンドバッグ。
【請求項８】
前記ボディは、発泡ポリエチレン等のような衝撃を吸収することができる少なくとも一部が柔軟な防水材料で作られた請求項７に記載のハンドバッグ。
【請求項９】
前記ボディ（２１）は、前記スイッチ（１１）及び前記照明デバイス（９）に接続するために簡易脱着接続（２３）が設けられた請求項７又は８に記載のハンドバッグ。
【請求項１０】
前記制御ユニット（２０）に接続され、充電されるべき電子デバイスに接続するためのコネクター（２７）を一端に設けた、電力供給ケーブル２６を備えた請求項１から９のいずれか一項に記載のハンドバッグ。
【請求項１１】
前記制御ユニット（２０）に接続され、電子デバイスを充電するように磁界を発生する電源供給コイル（３５）を備えた請求項１から１０のいずれか一項に記載のハンドバッグ。
【請求項１２】
前記照明デバイスは、少なくともＬＥＤストリップを備えた請求項１から１１のいずれか一項に記載のハンドバッグ。
【請求項１３】
外部充電デバイスに接続されるように構成された前記接続デバイスは、前記制御ユニット（２０）に接続されたコネクターを備えた請求項１から１２のいずれか一項に記載のハンドバッグ。
【請求項１４】
前記コネクターは、標準のフィメール（雌）ＵＳＢ、ｍｉｎｉ−ＵＳＢ、ｍｉｃｒｏ−ＵＳＢのコネクターである請求項１３に記載のハンドバッグ。
【請求項１５】
前記コネクターは、前記ケース（２）の外側に配置され、飾りボタン又はハンドバッグの装飾により覆われた請求項１３又は１４に記載のハンドバッグ。
【請求項１６】
前記バッテリー（１０）の充電状態を示すいくつかのＬＥＤを伴うケース（２）に適用された小さなパネルが設けられており、前記パネルが制御ユニット（２０）に接続された請求項１から１５のいずれか一項に記載のハンドバッグ。
【請求項１７】
請求項１から１６に記載のハンドバッグと、前記ハンドバッグの接続手段（１４）に作用する磁界を発生するよう構成された手段（３１）を設けた充電デバイス（１４）と、を備えた一式。
【請求項１８】
前記手段（３１）が配線網に接続された駆動回路（３２）により供給された少なくとも１つのコイルを備えた請求項１７に記載の一式。
【請求項１９】
前記手段（３１）が実質的な平坦な薄いボディを備えるサポート（３０）の中に収納された請求項１７又は１８に記載の一式。
【請求項２０】
前記手段（３１）は、前記サポート（３０）の全表面に実質的に広げるためにマトリックスに配置された複数のコイルを備えた請求項１９に記載の一式。
【請求項２１】
前記サポートは、ハンドバッグの材料と同様の材料で覆われた請求項１７又は１８に記載の一式。
【発明の詳細な説明】
【技術分野】
【０００１】
本発明は、照明と電源システムが設けられているハンドバッグに関する。特に、本発明は、ハンドバッグに収納されたアイテムを探すことが容易なものとするために、ハンドバッグの内部を照らすのに適した手段が設けられたハンドバッグに関する。また、本発明に係るハンドバッグは、電子デバイスを操作するバッテリーを充電する電力供給装置を提供する。
【背景技術】
【０００２】
女性のバッグ、即ちハンドバッグの使用における共通の問題は、ハンドバッグから取り除くべき特定のアイテムを、ハンドバッグに収納されている他のものから識別することである。薄暗い照明の下では特に骨の折れることであり、その形状によってのみ品物を識別する必要があり、ハンドバッグの中で同様の形状のアイテムが存在する場合には特に困難である（例えは、異なった２つの鍵のセット）。
【０００３】
これらの欠点を克服するために、バッテリー等により供給され、そしてハンドバッグの蓋に接続されたスイッチを介して起動される、ハンドバッグの内部のコンパートメントを照らすのに適した照明デバイスが設けられたハンドバッグや財布等が提供されていた。
【０００４】
このような構成のハンドバッグの例としては、ドイツの特許出願、ＤＥ１０３３８９０５に開示されている。
【０００５】
ハンドバッグの内部に挿入されたアイテムを照らすのに適した手段を提供したハンドバッグの別の例としては、英国特許出願、ＧＢ２０８２８９８に開示されている。
【先行技術文献】
【特許文献】
【０００６】
【特許文献１】ドイツ特許出願公開第ＤＥ１０３３８９０５号明細書
【特許文献２】英国特許出願公開第ＧＢ２０８２８９８号明細書
【発明の概要】
【発明が解決しようとする課題】
【０００７】
それにも関わらず、これらの先行技術の目的は、更なる改良を受けている。
実際、このような構成を伴うバッグは、ハンドバッグの内部に設けなければならない様々電気的な又は電子的な構成要素の存在により、従来のハンドバッグに比べて一般的により複雑なものである。
【０００８】
特に、これらのコンポーネントがその通常の有用性及び機能性、あるいはその外観のいずれも変更することがないように、これらのコンポーネントはハンドバッグの本体の中に一体的に組み込まねばならず、製品の形式においては非常に重要である。
【０００９】
しかしながら、同時に、万一故障した場合には、どのようなメンテナンス作業も容易に行えるように、これらのコンポーネントは設計され構成されていなければならない。
【００１０】
本発明は、この分野に関連するものであり、先行技術のデバイスの欠点を補うために改良された照明及び電源システムを設けたハンドバッグを提案している。
【００１１】
特に、本発明の目的は、ハンドバッグの中の様々なコンポーネントの容易な取り付けを可能にする照明及び電源システムを設けたハンドバッグを提案することであり、そのため、コンポーネントのうちの１つが故障した場合には、簡単で迅速なメンテナンスを可能とするものである。
【００１２】
本発明の別の目的は、従来のハンドバッグの使用に匹敵するような、ユーザに役に立つ最大の実用性を提供する照明及び電源システムを設けたハンドバッグを提案することである。
【００１３】
詳細については、本発明の目的は、ケーブルを使用することなく容易に充電することができるバッテリーによって供給された照明及び電源システムを設けたハンドバッグを提案することである。
【００１４】
本発明のもう一つの目的は、ハンドバッグに収納されている電子デバイスを充電するように、使用されるバッテリーの能力を可能とする照明及び電源システムを設けたハンドバッグを提案することである。
【課題を解決するための手段】
【００１５】
上記の目的は、最後に添付した１つ以上のクレームに係るハンドバッグによって実質的に達成される。
【００１６】
特に、これらの目的は、上部に形成され閉鎖手段が設けられた開口を伴うコンパートメントを規定したケース、前記開口の近傍の前記コンパートメントの内部に配置された照明デバイス、前記照明デバイスに供給するバッテリー、前記閉鎖手段に操作可能に接続されたスイッチ、外部充電デバイスに接続するよう構成された接続デバイス、少なくとも前記照明デバイスと前記接続手段を制御するよう構成されたコントロールユニット、を備え、
少なくとも前記バッテリー、前記接続手段及び前記コントロールユニットが前記ハンドバッグの底に配置されたハンドバッグにより達成される。
【発明の効果】
【００１７】
さらなる特徴及び利点は、開示するものからより明白になるであろうし、それ故、以下の添付の図面に示されているように、本発明の好ましいが排他的でない実施例の一例の記述に限定されるものではない。
【図面の簡単な説明】
【００１８】
【図１】図１は、本発明に係るハンドバッグの部分的な正面断面図である。
【図２】図２は、図１のハンドバッグの側面断面図である。
【図３】図３は、本発明に係る照明及び電源システムのコンポーネントの概略表示である。
【図４】図４は、本発明に係るハンドバッグの充電デバイスの斜視図である。
【発明を実施するための形態】
【００１９】
添付の図に関して、ハンドバッグは、アイテム０を収納することができる内部コンパートメント３を規定するケース２を備える。
【００２０】
前記ケースは、ハンドバッグの使用と適合する任意の材料で作成されるものであり、例えば、織物、革、皮、プラスチック材料などである。
【００２１】
前記ケースは、例えば、少なくとも１つの底４、１以上の側面壁５、及び上部壁６を備えることができる。
【００２２】
ケースの外部形状は、本発明の目的のために拘束されるものではなく、例えば、前記壁面が上部壁６と一体的に製造され、前記底４が１つの側面壁又は複数の側面壁５と一体的に製造されるであろう。
【００２３】
好ましくは、前記ケース２の上部においては、特に、上部壁６においては、開口７が、アイテム０の出し入れのために内部コンパートメント３に容易にアクセスできるように製造される。
【００２４】
しかしながら、ケースの形状に従って、前記開口は、またケース２の横に、又は他の位置に設けられてもよい。
【００２５】
また、ケースは、前記開口７を部分的に又は完全に閉じる閉鎖手段８を備えている。前記閉鎖手段は、ジップ、ボタン、クリップ、又は、一般的な公知の閉鎖形式を備えることができる。
【００２６】
本発明によれば、ハンドバッグには、内部コンパートメント３及びその中に収納されたアイテムを照らす照明デバイス９が設けられている。
【００２７】
このために、前記照明デバイスは、ケースの上部の好ましい位置に配置されており、より具体的には、前記開口の近くに配置されている。
【００２８】
好ましい実施例によれば、前記照明デバイスは、開口７の周囲に沿って配置された複数のＬＥＤを備えている。
【００２９】
より詳細には、前記照明デバイスは、少なくとも１つの「ＬＥＤストリップ」、即ち、全てが単一外部接続を介して供給される複数のＬＥＤを設けた可撓性材料片を備える。
【００３０】
例えば、図の中で示されたもののように、ジップ閉鎖を設けたハンドバッグでは、ケースの内部に「ＬＥＤストリップ」の対を取り付け、それぞれを開口７の一端に取り付けることが可能である。
【００３１】
例えば、前記「ＬＥＤストリップ」は、(薄い、又は穿孔されて)光が透過することができる織物、又は透明プラスチック材料で製造された特定のチューブ状のコンパートメント２２の内部に収容することができる。
【００３２】
前記照明デバイス９用の電源は、バッテリー１０で提供され、好ましくは２次電池で提供される。
【００３３】
使用者にとって最大の実用性を確保するために、照明デバイス９の起動及び停止は、開口７の閉鎖手段８に操作可能に接続されたスイッチ１１により制御される。
【００３４】
詳細には、ケース２が閉鎖手段８により開放されたとき、前記スイッチは、照明デバイスをオンに自動的に切り替え、反対にケースが閉じたとき、オフに切り替える。
【００３５】
本発明によれば、前記スイッチ１１は、少なくとも１つのマグネット１２及び１つのリードコンタクト１３を備える。
【００３６】
好ましくは、マグネット１２は前記閉鎖手段の移動位置に配置され、一方、リードコンタクト１３はハンドバッグのケースの固定位置にある。
【００３７】
ケースが閉まっているとき、マグネット１２及びコンタクト１３は一緒に移動しており、マグネットの磁界がリードコンタクトを励起することができ、照明デバイスをオフに維持する。
【００３８】
一方、ケース２が開放されているとき、マグネット１２はリードコンタクト１３から離れるように移動し、リードコンタクトは前記照明デバイス９がオンとなるように非活性化となる。
【００３９】
さらに詳細に述べると、バッテリー１０と照明デバイス９との間に配置され、リードコンタクトの開閉状態を検知することができ、そして前記照明デバイスに向かう電流の流れを制御するスイッチ制御回路１８に、前記リードコンタクト１３が接続されている（図３）。
【００４０】
本発明によれば、また、ハンドバッグには接続デバイスが設けられており、この接続デバイスは、全体として符号１４で示されており、全体として符号１５で示されている外部充電デバイスを通してバッテリー１０を充電することを可能とする。
【００４１】
有利には、前記接続デバイス１４は、ハンドバッグに接続されたケーブルの補助等なしでバッテリー１０を充電することができる（図３）。
【００４２】
さらに、具体的には、前記接続手段１４は、充電デバイス１０により放射された磁界を捕らえるように構成され、そしてその磁界を電気信号に変換する少なくとも１つのコイル１６と、前記コイルに接続され、バッテリー１０の電圧及び電流の値に対応する電圧及び電流の値を有する前記信号に変調することができるトランスフォーマ回路１７と、を備える。
【００４３】
コイル１６の数及び寸法は、充電されるバッテリーの容量、及び充電デバイス１５の仕様に応じて変更可能である。
【００４４】
前記トランスフォーマ回路１７、前記スイッチ制御デバイス１８及び前記バッテリー１０は、充電及び供給制御回路１９に接続されており、それにより管理されている。
【００４５】
詳細には、前記充電及び供給制御回路１９は、スイッチ制御デバイス１８からケース２の開閉を示す信号を受信するように構成されており、そしてこの信号に従って、バッテリー１０から照明デバイス９に向かう電流の流れを可能又は停止するよう構成されている。
【００４６】
また、前記充電及び供給制御回路１９は、トランスフォーマ回路１７から変調された電流を受け取るように構成されており、それをバッテリー１０に充電するために伝送するよう構成されている。バッテリー１０が完全に充電されたとき、前記回路１９は供給及び充電を中断する。
【００４７】
ハンドバッグが充電デバイス１５に接続されているとき、充電及び供給制御回路１９は、バッテリー１０をバイパスし、ケース２が開放された場合には、トランスフォーマ回路１７を介して照明デバイス９に直接電力が供給される。
【００４８】
本発明によれば、前記トランスフォーマ回路１７、前記スイッチ制御デバイス１８及び前記充電及び供給制御回路１９は、全てが符号２０で示されており、単一制御ユニットの中に備えられている。
【００４９】
有利には、使用者に不便をかけることなく、内部コンパートメント３の容量を低減することなく、制御ユニット２０、前記バッテリー１０及び前記コイル１６がハンドバッグの底４に配置される。
【００５０】
好ましい実施例によれば、前記バッテリー１０、前記制御ユニット２０及び前記コイル１６は、単一の組立て済み及び密閉ボディ２１の中に設けられている。
【００５１】
様々なコンポーネントの構成によって、前記ボディは、ケースの底４の配置に都合がよい薄い平坦な形状を想定することができる。
【００５２】
この目的のために、ケースの底４には、ジップ、又はホック及びループクロージャによって塞がれ、ボディ２１の容易で迅速な挿入又は取り外しを可能にする、ポケットが設けられている。
【００５３】
有利には、前記ボディは衝撃を吸収し、様々なコンポーネントを保護することができる、少なくとも部分的に柔軟な材料で形成されており、そして、好ましくは、それらが湿気るのを防止するように防水で製造されている。発泡ポリエチレンなどのような材料は、この使用に適している。
【００５４】
維持管理作業を容易なものとするために、前記ボディ２１には、リードコンタクト１３を備えた接続ケーブル２４に、及び照明デバイス９を備えた接続ケーブル２５に簡易脱着接続２３が設けられている。
【００５５】
前記ケーブルは、好ましくは、全体的に視界から隠れるように、図においては見えない、ケースの内張の下に配置されている。
【００５６】
このようにして、前述のコンポーネントのうちの１つが故障だった場合には、その接続を切り離し、当該コンポーネントを交換するには十分である。
【００５７】
同様に、ボディ２１の内部のコンポーネント(制御ユニット２０、バッテリー１０又はコイル１６)のうちの１つが故障した場合には、リードコンタクト１３から、そして照明デバイス９から素早く容易に切り離すことができ、新しいものと取り替えることができる。
【００５８】
この解決は、ユーザが、店にハンドバッグを預ける必要がなく、修理されるようにサービス・センターおいてハンドバッグの全てのデバイスをほとんど直ちに正常運転に復帰させることが可能である。
【００５９】
他の多くの電子デバイスと同じように、破損したコンポーネントはサービス・センターで修理され、又は修復された後、交換されたボディ２１は続けて再度使用することができる。
【００６０】
好ましくは、本発明によれば、また、ハンドバッグは、例えば、電話、スマートフォン、ＭＰ３プレーヤー、電子システム手帳等のバッテリー駆動の電子デバイスに充電する電源システムを設けている。
【００６１】
好ましい実施例によれば、前記電源システムは、制御ユニット２０の充電及び供給回路１９に接続され、電子デバイスの接続のためのコネクター２７を一端に設けた、電力供給ケーブル２６を備える。
【００６２】
前記コネクター２７は、標準形式のもの(ＵＳＢ、ｍｉｎｉ−ＵＳＢ、ｍｉｃｒｏ−ＵＳＢ)、又は独自形式のものでも用いることができ、及び既存の製造業者のデバイスに専用のものでも用いることができる。
【００６３】
有利には、また、前述の電力供給ケーブル２６は、ボディ２１から取り外すように簡易脱着接続２３が設けられている。
【００６４】
前記電力供給ケーブル２６は、充電されるべき電子デバイスを配置することができるポケット３６等のようなハウジング２７に到達することができる。
【００６５】
他の実施例によれば、前記電源システムは、電源供給ケーブル３８を介して制御ユニット２０の充電及び供給回路１９に接続され、電子デバイスに充電するように作用する磁界を発生するコイル３５を備えることができる。また、このケースにおいて、コイル３５は、バッグのポケット３７の中に配置され得る。このため、ポケットの内部に電子デバイスを配置することは充電を開始するのに十分である。
【００６６】
本発明によれば、ハンドバッグは、図４に示した充電デバイス１５を備える一式の中に提供され得る。
【００６７】
前記デバイスは、ハンドバッグの接続デバイス１４に作用する磁界を発生するよう構成された手段３１を設けた実質的に平坦なボディを有するサポート３０を備える。
【００６８】
より詳細に述べると、前記手段は、サポート３０の内部に埋設され、トランスフォーマ（図示無し）を介して配線網に順番に接続された駆動回路３２により供給された、少なくとも１つのコイルを備えている。
【００６９】
このように、充電デバイスが起動しているとき、コイル３１により発生した磁界がハンドバッグの接続デバイス１４のコイル１６に作用し、かつバッテリー１０の充電を可能とするために、ハンドバッグをサポート３１の上に置くことで十分である。
【００７０】
この充電システムは、ケーブルなどの補助なしで、ユーザに最大の実用性を保証し、従来のハンドバッグの習慣的な使用における実質的な変化を含むものではない。
【００７１】
好ましくは、デバイスは、サポートの全表面のために実質的に広げたマトリックスの上に配置された複数のコイル３１を備えている。
【００７２】
これは、多少任意の方法でサポート３０の上に置かれたハンドバッグに対して充電を可能とするが、充電デバイスの少なくとも１つの放射しているコイル３１とハンドバッグのコイル１６との間の作用を確保する必要がある。
【００７３】
前記サポート３０は、例えば、ゴム、ボール紙又は波状のプラスチックのような軽く、強く、そして変形可能な材料で好ましくは作られている。
【００７４】
好ましくは、充電デバイス１５が一式として提供されるならば、サポート３０は、バッグのケースと同じ材料で、又はそのデザイン要素に一致した方法で装飾材料で覆うことができる。
【００７５】
有利には、コンパートメント３の内部において、そして好ましくは、ケースの上部領域において、ハンドバッグは、バッテリーの充電状態を示すいくつかのＬＥＤを伴う、制御、充電及び供給ユニット１９に接続された小さなパネル（図示無し）を設けることができる。
【００７６】
他の変形例によれば、外部充電デバイスに接続されるように構成された接続デバイスは、制御ユニット２０に接続された更なるコネクター(図示無し)を備えることができ、その制御ユニット２０を介して電力供給ケーブルによりバッテリー１０を充電することが可能である。
【００７７】
前記更なるコネクターは、コイル(１４)を備える接続デバイスのそばに配置することができ、それらを選択的に使用することができ、又はそれらを交換することができる。
【００７８】
このコネクターは、例えば、標準のフィメール（雌）ＵＳＢ、ｍｉｎｉ−ＵＳＢ又はｍｉｃｒｏ−ＵＳＢのコネクターで対応することができ、言い換えると、電子デバイスが現在装備している大部分のトランスフォーマと互換性を有するものである。このように、充電デバイス１５が利用可能な場合、バッテリー１０を充電することが可能である。
【００７９】
前記コネクターは、好ましくは、ケース２上に配置されており、外部からアクセス可能である。このために、装飾物を使用して所望のように、又はハンドバッグ上にある装飾ボタンとしてカモフラージュすることができる。
【００８０】
本発明においては、記述及び表示したように、本発明の概念の範囲内に含まれる、多くの改良及び変形の全てが許されるものであり;さらに、全ての詳細については他の技術的に同等の要素によって置き換えることができるものである。
【図１】
2015509806.tif 000003
【図２】
2015509806.tif 000004
【図３】
2015509806.tif 000005
【図４】
2015509806.tif 000006
【国際調査報告】
2015509806.tif 000007
2015509806.tif 000008